(57)【特許請求の範囲】
【請求項１】
ユーザ機器（ＵＥ）（１０２）においてパワーを節約するための方法であって、
少なくとも１つのアクセス技術タイプを有する少なくとも１つの利用可能なアクセス技術無線アクセスネットワーク（ＲＡＮ）を発見すること（２０２）と、
第１の技術タイプＲＡＮが利用可能な唯一のアクセス技術ＲＡＮである場合、第１の技術タイプとは異なる第２の技術タイプのための加入情報を有するリムーバブル・ユニバーサル集積回路カード（ＵＩＣＣ）（５１４）へのパワーをオフに切り替えること（２０６）と、
第１の技術タイプＲＡＮが、利用可能な唯一のアクセス技術ＲＡＮである場合、前記ＵＥ（１０２）上の不揮発性メモリ（ＮＶ）（５１８）内の第１の技術タイプＲＡＮユーザ加入情報へのアクセスを確立すること（２０８）と、
前記ＵＩＣＣ（５１４）がパワーオンされたままの間にタイマ期間を測定するために、前記ＵＩＣＣをパワーオンすると、タイマを開始すること（３１４、４０６）と、
を備える方法。
【請求項２】
前記ＵＥ（１０２）から情報を読み取ることを試みること（３０２）と、
前記ＵＥ（１０２）が読み取ることを試みる前記情報を、前記ＵＩＣＣ（５１４）は含むが、キャッシュ（５２０）は含まない場合、前記ＵＩＣＣ（５１４）をパワーオンすること（３１２）と、
前記ＵＩＣＣ（５１４）から前記情報を読み取ること（３１６）と、
前記ＵＩＣＣ（５１４）から読み取られた前記情報で前記キャッシュ（５２０）をアップデートすること（３１８）とをさらに備える、請求項１に記載の方法。
【請求項３】
前記ＵＥ（１０２）によって前記ＵＩＣＣ（５１４）へ情報を書き込むことを試みること（４０２）と、
前記ＵＩＣＣ（５１４）をパワーオンすること（４０４）と、
前記ＵＩＣＣ（５１４）へ前記情報を書き込むこと（４０８）とをさらに備える、請求項1に記載の方法。
【請求項４】
前記タイマ期間の満了の際（３２０）に少なくとも１つの利用可能なアクセス技術ＲＡＮを発見すること（２０２）と、
前記タイマ期間が満了した（３２０）後に、前記第１の技術タイプＲＡＮが、利用可能な唯一のアクセス技術である場合、前記ＵＩＣＣ（５１４）をパワーオフすること（２０６）とをさらに備える請求項２に記載の方法。
【請求項５】
前記タイマ期間の満了の際（４１０）に少なくとも１つの利用可能なアクセス技術ＲＡＮを発見すること（２０２）と、
前記タイマ期間が満了した（４１０）後に、前記第１の技術タイプＲＡＮが、利用可能な前記唯一のアクセス技術である場合、前記ＵＩＣＣをパワーオフすること（２０６）とをさらに備える、請求項３に記載の方法。
【請求項６】
ユーザ機器（ＵＥ）において、パワーを節約するための装置であって、
少なくとも１つのアクセス技術タイプを有する少なくとも１つの利用可能なアクセス技術無線アクセスネットワーク（ＲＡＮ）を発見するための手段（５１２）と、
第１の技術タイプＲＡＮが、利用可能な前記唯一のアクセス技術ＲＡＮである場合、第１の技術タイプとは異なる第２の技術タイプのための加入情報を有するリムーバブル・ユニバーサル集積回路カード（ＵＩＣＣ）（５１４）へのパワーをオフに切り替えるための手段（１１８）と、
第１の技術タイプＲＡＮが、利用可能な前記唯一のアクセス技術ＲＡＮである場合、前記ＵＥ（１０２）上の不揮発性メモリ（ＮＶ）（５１８）内の第１の技術タイプＲＡＮユーザ加入情報へのアクセスを確立するための手段（５０２）と、
前記ＵＩＣＣ（５１４）がパワーオンされたままの間にタイマ期間を測定するために、前記ＵＩＣＣ（５１４）をパワーオンするとタイマを開始するための手段（５２２）と、
を備える装置。
【請求項７】
前記ＵＥから情報を読み取ることを試みるための手段（５０２）と、
前記ＵＥ（１０２）が読み取ることを試みる前記情報を、前記ＵＩＣＣ（５１４）は含むが、キャッシュ（５２０）は含まない場合、前記ＵＩＣＣ（５１４）をパワーオンするための手段（１１８）と、
前記ＵＩＣＣ（５１４）から前記情報を読み取る（５０２）ための手段と、
前記ＵＩＣＣ（５１４）から読み取られた前記情報で前記キャッシュ（５２０）をアップデートするための手段（５０２）とをさらに備える、請求項６に記載の装置。
【請求項８】
前記ＵＥ（１０２）によって、前記ＵＩＣＣ（５１４）へ情報を書き込むことを試みるための手段（５０２）と、
前記ＵＩＣＣ（５１４）をパワーオンするための手段（１１８）と、
前記ＵＩＣＣ（５１４）へ前記情報を書き込むための手段（５０２）とをさらに備える請求項６に記載の装置。
【請求項９】
前記タイマ期間の満了の際に少なくとも１つの利用可能なアクセス技術ＲＡＮを発見するための手段（５１２）と、
前記タイマ期間が満了した後に、前記第１の技術タイプＲＡＮが、利用可能な前記唯一のアクセス技術である場合、前記ＵＩＣＣ（５１４）をパワーオフするための手段（１１８）とをさらに備える、請求項７に記載の装置。
【請求項１０】
前記タイマ期間の満了の際に、少なくとも１つの利用可能なアクセス技術ＲＡＮを発見するための手段（５１２）と、
前記タイマ期間が満了した後に、前記第１の技術タイプＲＡＮが、利用可能な前記唯一のアクセス技術である場合、前記ＵＩＣＣ（５１４）をパワーオフするための手段（１１８）とをさらに備える、請求項８に記載の装置。
【請求項１１】
ユーザ機器（ＵＥ）（５１４）においてパワーを節約するための装置であって、
少なくとも１つのアクセス技術タイプを有する少なくとも１つの利用可能なアクセス技術無線アクセスネットワーク（ＲＡＮ）を発見するためのシステム決定コンポーネント（５１２）と、
第１の技術タイプＲＡＮが、利用可能な唯一のアクセス技術ＲＡＮである場合、第１の技術タイプとは異なる第２の技術タイプのための加入情報を有するリムーバブル・ユニバーサル集積回路カード（ＵＩＣＣ）へのパワーをオフに切り替えるためのパワー管理コンポーネント（１１８）と、
第１の技術タイプＲＡＮが利用可能な前記唯一のアクセス技術ＲＡＮである場合、第１の技術タイプＲＡＮユーザ加入情報へのアクセスを確立するための不揮発性メモリ（５１８）と、
前記ＵＩＣＣがパワーオンされたままの間にタイマ期間を測定するために、前記ＵＩＣＣをパワーオンするとタイマを開始するためのタイマーコンポーネント（５２２）と、
を備える、装置。
【発明の詳細な説明】
【関連出願】
【０００１】
（合衆国特許法第３５部第１１９条の下での優先権の主張）
[0001]   本願は、本譲受人にその権利が譲渡され、本明細書に参照により明確に組み込まれる、「ＵＩＣＣのパワー管理のための方法および装置（METHOD AND APPARATUS FOR POWER MANAGEMENT OF UICC）」と題された、２０１１年６月１０日に出願された仮特許出願第６１／４９５，６６７号の優先権を主張する。
【背景技術】
【０００２】
[0002]   無線通信システムは、例えば、音声、データ、等、といった、様々なタイプの通信コンテンツを提供するように、幅広く展開される。典型的なワイヤレス通信システムは、利用可能なシステムリソース（例えば、帯域幅、送信パワー、等）を共有することによって、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、等、を含みうる。加えて、システムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータ最適化（evolution data optimized）（ＥＶ−ＤＯ）、等といった仕様書に合わせることができる。
【０００３】
[0003]   概してワイヤレス多元接続通信システムは複数のモバイルデバイスに対する通信を同時にサポートしうる。それぞれのモバイルデバイスは、順方向および逆方向リンク上の送信を介して１つまたは複数の基地局と通信しうる。順方向リンク（またはダウンリンク）は、基地局からモバイルデバイスへの通信リンクを指し、逆方向リンク（またはアップリンク）は、モバイルデバイスから基地局への通信リンクを指す。さらに、モバイルデバイスと基地局間の通信は、単一入力単一出力（ＳＩＳＯ）システム、多入力単一出力（ＭＩＳＯ）システム、多入力多出力（ＭＩＭＯ）システム、等、を介して確立されうる。加えて、モバイルデバイスは、ピア・ツー・ピア無線ネットワーク構成において他のモバイルデバイスと（および／または基地局は別の基地局と）通信することができる。
【０００４】
[0004]   多くのモバイルデバイスにおいて、加入情報（subscription information）は、加入情報が関連するアクセス技術に依存して、不揮発性（nonvolatile）（ＮＶ）デバイスメモリまたはリムーバブル・ユニバーサル集積回路カード（a removable Universal Integrated Circuit Card）（ＵＩＣＣ）のどちらかに格納される。現在は、例えば、ある特定のワイヤレスデバイスにおいて、ネットワークサービスが１ｘ−ＲＴＴ／データ最適化（ＤＯ）ネットワーク技術上で利用可能である場合、ネットワーク加入情報は、デバイスの不揮発性（ＮＶ）メモリから検索され格納される。しかしながら、これらのデバイスにおいて、サービスが、ＧＳＭ（登録商標），ＵＭＴＳ、またはＬＴＥといった、任意の他のアクセス技術上で利用可能である場合、加入情報は、ＵＩＣＣから検索され格納される。
【０００５】
[0005]   これらの従来のワイヤレスデバイスは、デバイスがパワーアップすると、ＵＩＣＣをパワーアップし、デバイスが完全にパワーダウンされる場合のみ、ＵＩＣＣをパワーダウンする。そのため、これらのデバイスにおいて、所与の時間においてワイヤレスデバイスによって使用中のネットワークアクセス技術に関わらず、ＵＩＣＣは、パワーアップされており、クエリー（query）を行うために利用可能である。このようなシナリオでＵＩＣＣに対して使用されるパワーは、バッテリ寿命の必要のない消費の原因でありうる。
【発明の概要】
【０００６】
[0006]   以下は、１つまたは複数の態様の簡略化された概要を、そのような態様の基本的な理解を提供するために示している。この概要は、意図される全ての態様の広範囲に及ぶ概観ではなく、全ての態様のキーまたは不可欠な要素を識別することも、あるいは、任意または全ての態様の範囲を描くことも意図されていない。この唯一の目的は、後に示される、より詳細な説明に対する前置きとして、１つまたは複数の態様のいくつかの概念を、簡略化した形態で示すことである。
【０００７】
[0007]   本開示は、ユーザ機器（ＵＥ）においてパワーを節約するための方法であり、それは、少なくとも１つのアクセス技術タイプを有する少なくとも１つの利用可能なアクセス技術無線アクセスネットワーク（access technology radio access network）（ＲＡＮ）を発見することと、第１の技術タイプＲＡＮが、利用可能な唯一のアクセス技術ＲＡＮである場合、第１の技術タイプとは異なる第２の技術タイプのための加入情報を有するリムーバブル・ユニバーサル集積回路カード（ＵＩＣＣ）のパワーをオフに切り替えることと、第１の技術タイプＲＡＮが、利用可能な唯一のアクセス技術ＲＡＮである場合、ＵＥ上の不揮発性メモリ内の第１の技術タイプＲＡＮユーザ加入情報（first technology type RAN user subscription information）へのアクセスを確立することと、を含む。
【０００８】
[0008]   本開示は加えて、ＵＥにおいてパワーを節約するように構成された少なくとも１つのプロセッサを意図し、それは、少なくとも１つのアクセス技術タイプを有する少なくとも１つの利用可能なアクセス技術ＲＡＮを発見する第１のモジュールと、第１の技術タイプＲＡＮが、利用可能な唯一のアクセス技術ＲＡＮである場合、第１の技術タイプとは異なる第２の技術タイプのための加入情報を有するリムーバブルＵＩＣＣへのパワーをオフに切り替えるための第２のモジュールと、第１の技術タイプＲＡＮが、利用可能な唯一のアクセス技術ＲＡＮである場合、前記ＵＥ上の不揮発性メモリ内の第１の技術タイプＲＡＮユーザ加入情報へのアクセスを確立するための第３のモジュールとを含む。
【０００９】
[0009]   本開示の態様において、コンピュータ可読媒体を含みうるコンピュータプログラム製品が説明され、それは、それ自体が、少なくとも１つのアクセス技術タイプを有する少なくとも１つの利用可能なアクセス技術無線アクセスネットワークをコンピュータに発見させるためのコードの第１のセットと、第１の技術タイプＲＡＮが利用可能な唯一のアクセス技術ＲＡＮである場合、第１の技術タイプとは異なる第２の技術タイプのための加入情報を有するリムーバブルＵＩＣＣへのパワーをコンピュータにオフに切り替えさせるためのコードの第２のセットと、第１の技術タイプＲＡＮが、利用可能な唯一のアクセス技術ＲＡＮである場合、ＵＥ上の不揮発性メモリ内の第１の技術タイプＲＡＮユーザ加入情報へのアクセスをコンピュータに確立させるためのコードの第３のセットとを含みうる。
【００１０】
[0010]   加えて、本開示は、少なくとも１つのアクセス技術タイプを有する少なくとも１つの利用可能なアクセス技術ＲＡＮを発見するための手段と、第１の技術タイプＲＡＮが、利用可能な唯一のアクセス技術ＲＡＮである場合、第１の技術タイプとは異なる第２の技術タイプのための加入情報を有するリムーバブルＵＩＣＣへのパワーをオフに切り替えるための手段と、第１の技術タイプＲＡＮが、利用可能な唯一のアクセス技術ＲＡＮである場合、ＵＥ上の不揮発性メモリ内の第１の技術タイプＲＡＮユーザ加入情報へのアクセスを確立するための手段とを含む装置を意図する。
【００１１】
[0011]   さらなる態様において、装置が本明細書において提供され、それは、少なくとも１つのアクセス技術タイプを有する少なくとも１つの利用可能なアクセス技術無線アクセスネットワーク（ＲＡＮ）を発見するためのシステム決定コンポーネントと、第１の技術タイプＲＡＮが、利用可能な唯一のアクセス技術ＲＡＮである場合、第１の技術タイプとは異なる第２の技術タイプのための加入情報を有するリムーバブルＵＩＣＣへのパワーをオフに切り替えるためのパワー管理コンポーネントと、第１の技術タイプＲＡＮが、利用可能な唯一のアクセス技術ＲＡＮである場合、第１の技術タイプＲＡＮユーザ加入情報へのアクセスを確立するための不揮発性メモリと、を含む。
【００１２】
[0012]   前述のおよび関連した目的の達成のために、１つまたは複数の態様は、以下で十分に説明され、特許請求の範囲において特に指摘された特徴を備える。以下の説明および添付された図面は、１つまたは複数の態様のいくつかの例示的な特徴を詳細に述べている。しかしながら、これらの特徴は、様々な態様の原理が用いられ得る様々な方法のごく一部を示すものであり、この説明は、そのような態様およびそれらの同等物の全てを含むことが意図されている。
【図面の簡単な説明】
【００１３】
[0013]   開示された態様は、以下において、添付された図面と連携して説明され、開示された態様を限定することなく例示するために提供されるであろう、そして、同一符号が同一要素を示す。
【００１４】
[0014]   
【図１】図１は、本開示においてコアネットワークとのＵＥ通信（UE communication with a core network）を促進するワイヤレス環境の態様のシステムレベル図である。
【００１５】
[0015]   
【図２】図２は、本開示の態様においてＵＩＣＣの選択的なパワー管理の方法を図示するフローチャートである。
【００１６】
[0016]   
【図３】図３は、本開示の態様においてＵＩＣＣを含むＵＥにおける読み取り方法を図示するフローチャートである。
【００１７】
[0017]   
【図４】図４は、本開示の態様においてＵＩＣＣを含むＵＥにおける書き込み方法を図示するフローチャートである。
【００１８】
[0018]   
【図５】図５は、本開示の態様におけるＵＥのコンポーネント図である。
【００１９】
[0019]   
【図６】図６は、本開示の態様の電気コンポーネントを図示するブロック図である。
【詳細な説明】
【００２０】
[0020]   様々な態様が、図面を参照して説明される。以下の記載において、説明の目的のために、１つまたは複数の態様の十分な理解を提供するために、多数の特定の詳細が述べられる。しかし、そのような態様は、これらの特定の詳細がない場合も実施されうるということは明らかでありうる。
【００２１】
[0021]   本出願中で使用するような、「コンポーネント」、「モジュール」、「システム」、等という用語は、ハードウェア、ファームウェア、ハードウェアとソフトウェアの組み合わせ、ソフトウェア、または、実行中のソフトウェアなどのような、しかしそれらに限定されない、コンピュータ関連のエンティティを含むように意図される。例えば、コンポーネントは、プロセッサ上で動作しているプロセス、プロセッサ、オブジェクト、実行可能ファイル、実行のスレッド、プログラム、および／またはコンピュータでありうるが、これらに限定されない。例として、コンピューティングデバイス上で動作しているアプリケーションおよびコンピューティングデバイスの両方がコンポーネントであることができる。１つ以上のコンポーネントは、処理および／または実行スレッド内に存在することができ、コンポーネントは、１つのコンピュータに存在する、および／または２つ以上のコンピュータに分散されうる。加えて、これらのコンポーネントは、様々なデータ構造が格納されている様々なコンピュータ可読媒体から実行されることができる。このコンポーネントは、ローカルシステム内の、分散システム内の、および／または信号によって他のシステムと接するインターネットのようなネットワークを渡る、別のコンポーネントと相互動作する１つのコンポーネントからのデータのような１つまたは複数のデータパケットを有する信号に従うような、ローカル、および／または遠隔処理によって、通信しうる。
【００２２】
[0022]   さらに、様々な態様が、有線端末、またはワイヤレス端末であることができる端末に関連して本明細書で説明される。端末は、システム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、またはユーザ機器（ＵＥ）とも称されることができる。ワイヤレス端末は、セルラ電話、衛星電話、コードレス電話、セッション開始プロトコル（ＳＩＰ）電話、無線ローカルループ（ＷＬＬ）局、携帯情報端末（ＰＤＡ）、ワイヤレス接続能力を有するハンドヘルドデバイス、コンピューティングデバイス、またはワイヤレスモデムに接続される他の処理デバイスでありうる。さらに、様々な態様が基地局と関係して本明細書で説明される。基地局は、ワイヤレス端末と通信するために利用されることができ、また、アクセスポイント、ノードＢ、またはいくつかの他の専門用語として称されうる。
【００２３】
[0023]   さらに、「または（or）」という用語は、排他的な「または」よりはむしろ包括的な「または」を意味することが意図される。すなわち、特に指定されない限り、または、文脈から明らかでない限り、「ＸがＡまたはＢを用いる」という表現は、複数の自然な包括的置き換えのうちのいずれかを意味することを意図している。すなわち、「ＸがＡまたはＢを用いる」という表現は、ＸはＡを用いる、ＸはＢを用いる、あるいは、ＸはＡおよびＢの両方を用いる、という事例のうちの任意のものによって満たされる。加えて、本明細書および添付された請求項で使用される「ａ」および「ａｎ」という冠詞は、特に指定されない限り、または単数形を指していると文脈から明らかでない限り「１または複数」を意味すると一般的に解釈されるべきである。
【００２４】
[0024]   本明細書で説明される技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されうる。「環境」、「システム」、および「ネットワーク」という用語は、しばしば交換可能に使用される。ＣＤＭＡシステムは、ユニバーサル地上無線アクセス（ＵＴＲＡ）、ｃｄｍａ２０００、等、のような無線技術を実現しうる。ＵＴＲＡは、ワイドバンド−ＣＤＭＡ（Ｗ−ＣＤＭＡ）およびＣＤＭＡの他の変形を含む。さらに、ｃｄｍａ２０００は、ＩＳ−２０００、ＩＳ−９５、およびＩＳ−８５６規格をカバーする。ＴＤＭＡシステムは、移動通信のためのグローバルシステム（ＧＳＭ（登録商標））（Global System for Mobile Communications）のような無線技術を実現しうる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、Ｆｌａｓｈ−ＯＦＤＭ（登録商標）等のような、無線技術を実現しうる。ＵＴＲＡおよびＥ−ＵＴＲＡは、ユニバーサル・モバイル通信システム（ＵＭＴＳ）の一部である。３ＧＰＰロングタームエボリューション（ＬＴＥ）は、ダウンリンク上ではＯＦＤＭＡを、アップリンク上ではＳＣ−ＦＤＭＡを用いるＥ−ＵＴＲＡを使用する、ＵＭＴＳの１つのリリースである。ＵＴＲＡ、Ｅ−ＵＴＲＡ、ＵＭＴＳ、ＬＴＥ、およびＧＳＭは、「第三世代パートナーシッププロジェクト」（３ＧＰＰ）という名の組織による文書中に説明される。加えて、ｃｄｍａ２０００とＵＭＢは、「第三世代パートナーシッププロジェクト２」（３ＧＰＰ２）という名の組織による文書中に記述されている。さらに、そのようなワイヤレス通信システムは、対になっていない（unpaired）無認可スペクトル（unpaired unlicensed spectrums）、８０２．ｘｘワイヤレスＬＡＮ、ブルートゥース（登録商標）、および任意の他の短距離あるいは長距離ワイヤレス通信技法をしばしば使用する、ピア・ツー・ピア（例えば、モバイル・ツー・モバイル）アドホックネットワークシステムを追加で含みうる。
【００２５】
[0025]   様々な態様または特徴は、多くのデバイス、コンポーネント、モジュール、等、を含みうるシステムの観点から提示されるであろう。様々なシステムは、追加のデバイス、コンポーネント、モジュール、等を含むことができ、および／または、図面に関連して述べられるデバイス、コンポーネント、モジュール等のすべてを含むことができないということが理解され、認識されるべきである。これらのアプローチの組み合わせも使用されうる。
【００２６】
[0026]   図１において、コアネットワーク１０８とユーザ機器（ＵＥ）１０２との間の通信を促進しうる、ワイヤレス通信環境１００の例が提示される。ワイヤレス通信環境１００の例において、１つまたは複数の基地局は、ＵＥ １０２と通信し、ワイヤレス通信アクセスをＵＥ １０２へ提供しうる。さらなる態様において、バックホールリンク（backhaul link）１１４および１１６は、コアネットワーク１０８と、第１の基地局１０４および／または第２の基地局１０６のうちの１つまたは複数との間の通信を促進しうる。
【００２７】
[0027]   いくつかの例において、ワイヤレス通信環境１００は、１つまたは複数のＵＥ １０２との通信１１２を可能にしうる第１の基地局１０４を含みうる。一態様において、通信１１２は、無線リンクを介しうる。第１の基地局１０４は、第１のアクセス技術を介して無線アクセスネットワーク（ＲＡＮ）においてＵＥ １０２との通信１１２を可能にしうる。一態様において、第１のアクセス技術は、ＣＤＭＡ２０００ １Ｘ（ＩＳ−２０００）、１ｘ、１ｘＲＴＴ、ＣＤＭＡ２０００、および／または、ＥＶ−ＤＯまたはＥＶとしても知られる、１ｘＥＶ−ＤＯ（エボリューションデータ最適化）、などのような、しかしそれらに限定されない、ネットワーク加入情報を格納するために不揮発性メモリ（ＮＶ）を使用しうる任意のアクセス技術、または３Ｇアクセス技術ファミリの一部である任意の他のアクセス技術を含みうる。
【００２８】
[0028]   加えて、ワイヤレス通信環境１００は、１つまたは複数のＵＥ １０２との通信１１２を可能にしうる第２の基地局１０６を含みうる。一態様において、通信１１２は、無線リンクを介しうる。第２の基地局１０６は、第２のアクセス技術を介してＲＡＮにおいてＵＥ １０２との通信１１２を可能にしうる。この第２のアクセス技術は、移動通信のためのグローバルシステム（ＧＳＭ）、ＧＳＭエボリューションのためのエンハンスドデータレート（Enhanced Data Rates for GSM Evolution）（ＥＤＧＥ）、ユニバーサル・モバイル通信システム（ＵＴＭＳ）、高速パケットアクセス（ＨＳＰＡ）、ロングタームエボリューション（ＬＴＥ）、ＬＴＥアドバンスト、などのような、しかしそれらに限定されない、ネットワーク加入情報を格納するためにユニバーサル集積回路カード（ＵＩＣＣ）を使用しうる任意のアクセス技術、または４Ｇアクセス技術ファミリの一部であるそれらのアクセス技術を含む、任意の他の高速データパケットネットワークアクセス技術を含みうる。
【００２９】
[0029]   さらなる態様において、ＵＥ １０２は、ＵＥ １０２内に位置しうる、リムーバブル・ユニバーサル集積回路カード（ＵＩＣＣ）に対してパワーを制御するように構成されうるパワー管理コンポーネント１１８を含みうる。一態様において、パワー管理コンポーネント１１８は、どの無線アクセスネットワークアクセス技術または複数の技術が、所与の時間においてＵＥ １０２で利用可能であるかに依存してＵＩＣＣをパワーオンまたはパワーオフしうる。一態様において、第１の技術タイプ無線アクセスネットワークが利用可能な唯一のアクセスネットワークである場合、パワー管理コンポーネント１１８は、ＵＩＣＣをパワーオフしうる。他の態様において、ＵＩＣＣがパワーオフされ、読み取り動作がＵＥ １０２上のコンポーネントまたは無線アクセスネットワークコンポーネントによって要求されると、パワー管理コンポーネント１１８は、ＵＥ １１２上の不揮発性メモリが要求された情報を含まない場合ＵＩＣＣをパワーオンしうる。さらに、別の態様において、無線アクセスネットワークコンポーネントまたはＵＥ １０２上のコンポーネントによってＵＩＣＣへの書き込み動作が、要求されると、ＵＩＣＣは、ＵＩＣＣをパワーオンしうる。別の態様において、稼働を開始するためのタイマ期間をトリガした読み取りまたは書き込み動作の後に、もしタイマ期間が満了すると、唯一の利用可能な無線アクセスネットワークアクセス技術が第１のアクセス技術であり、および、タイマ期間の間に読み取りまたは書き込み動作が要求されなかった場合、パワー管理コンポーネントはＵＩＣＣをパワーオフしうる。
【００３０】
[0030]   図２を見ると、利用可能なアクセス技術に基づいてＵＥの電力調整（UE power regulation）のための方法２００が示される。ワイヤレス通信環境１００（図１）の例を通してＵＥ １０２（図１）が移動すると、ブロック２０２において、ＵＥは、少なくとも１つの利用可能なアクセス技術を発見することができ、それは、第１の基地局１０４および／または第２の基地局１０６によって利用可能にされうる。ＵＥ １０２が少なくとも１つのアクセス技術を発見している場合、ブロック２０４において、ＵＥはその後、第１の技術タイプ無線アクセスネットワーク（ＲＡＮ）が、ＵＥ １０２で利用可能な唯一のアクセス技術タイプかどうかを決定する。一例において、第１のネットワーク技術は、ネットワーク加入情報を格納するための不揮発性メモリ （ＮＶ）を使用しうる任意のアクセス技術を含みうる。
【００３１】
[0031]   いくつかの態様において、ＵＥ １０２は、加入情報を格納するためのＮＶまたはリムーバブルＵＩＣＣのうちの、１つまたは両方を含みうる。このような加入情報は、ワイヤレス通信環境（例えば、図１の１００）において利用可能なＲＡＮへのアクセスのために要求されうる。
【００３２】
[0032]   方法２００のさらなる態様において、第１の技術タイプが、ＵＥ １０２で利用可能な唯一のアクセス技術である場合、ブロック２０６において、ＵＥは、リムーバブルＵＩＣＣへのパワーをオフに切り替えうる。第１の技術タイプは、ＮＶからの加入情報だけにアクセスする（access subscription information exclusively from the NV）ことができるため、第１のアクセス技術が利用可能な唯一のアクセス技術である場合、リムーバブルＵＩＣＣは、適切な接続性、通信、およびＵＥの動作に必要とされない。この状況において、ＵＩＣＣへのパワーをオフに切り替えることによって、ＵＥは、バッテリ寿命において著しい増加をもたらしうる、かなりのパワー節約を提示しうる。加えて、ブロック２０８において、第１のアクセス技術タイプＲＡＮへ接続する場合、リムーバブルＵＩＣＣへアクセスする必要はないので、ＵＥ １０２は、ＮＶ上に含まれている加入情報を使用して第１の技術タイプＲＡＮへのアクセスを確立しうる
[0033]   代替として、ＵＥは、ブロック２０４において、第１のアクセス技術タイプＲＡＮが利用可能な唯一のアクセス技術ではないということを決定しうる。ＵＥは、例えば、ＵＩＣＣ上のいくつかのまたは全てのネットワーク加入情報を格納しうる技術タイプなどといった、第２のアクセス技術タイプが利用可能であるということを見つけうる。この場合、ネットワークが、第２のアクセス技術タイプＲＡＮへの接続の前に本情報を提示するように要求しうるため、ＵＥは、ブロック２１０において、ＵＩＣＣへのパワーを維持しうる。
【００３３】
[0034]   図３を見ると、ＵＥからの読み取り動作の例示的方法３００が図示される。本方法のいくつかの例において、方法３００は、方法２００（図２）の延長でありうる。方法３００の態様において、ＵＥは、ブロック３０２において、ＵＥ上のキャッシュから情報を読み取ることを試みることができ、それは、例えば、リムーバブルＵＩＣＣから以前に読み取られ、後で読み取りを試みるためにそのキャッシュに格納された加入情報を含みうる。一態様では、ブロック３０２における試みは、ネットワークコンポーネントからの加入情報要求に応答しうる。加えてまたは代替として、このキャッシュは、ＮＶを含むことができ、または逆も同様である。よって、両方が、上述された第１のアクセス技術に関連した加入情報を含みうる。
【００３４】
[0035]   ＵＥがキャッシュから情報を読み取ることを試みた後に、ＵＥは次に、ブロック３０４において、キャッシュが、求めている情報を含むかどうかを決定しうる。一態様において、この情報は、１つまたは複数の無線アクセスネットワーク（ＲＡＮ）との接続に関連付けられた加入情報でありうる。キャッシュが、求めている情報を含みうる場合、ＵＥは、ブロック３０６において、キャッシュから情報を読み取ることができ、要求デバイスまたはコンポーネントへその情報を送信することができる。
【００３５】
[0036]   しかしながら、キャッシュが、求めている情報を含まない場合、ＵＥは、リムーバブルＵＩＣＣからその情報を読み取るように要求されうる。例えば、第１のアクセス技術が、利用可能な専用の（exclusive）アクセス技術ではない場合、ＵＩＣＣは、ＵＩＣＣが利用可能な第２のアクセス技術に関する加入情報を含みうる。一態様では、ＵＥは、加入情報の位置をマップし、キャッシュ、プロセッサ、またはＵＩＣＣ外部のＵＥの他のコンポーネント内にこのようなマッピング情報を格納する。加入情報を位置にマッピングすることによって、ＵＥはその情報を検索するためにＵＩＣＣをパワーオンするかどうか、またはそのようにすることが、要求された加入情報を戻さないかどうか、を識別することができる。従って、ブロック３０８において、ＵＥは、第２のアクセス技術に関する加入情報でありうる、要求された情報をＵＩＣＣが含むかどうかを決定しうる。ＵＩＣＣがこの情報を含まないと、ブロック３１０において、ＵＥは、いくつかの例においてネットワークコンポーネントでありうる、要求エンティティへ拒否インジケータ（a denial indicator）を送信しうる。加えてまたは代替として、拒否インジケータメッセージは、マッピングコンポーネントまたはエンティティが、ＵＩＣＣが要求された情報を含まないことを決定しているということを示すために、ＵＥ上のマッピングコンポーネントまたはエンティティによってＵＥ上の他のコンポーネントへ送信されうる。
【００３６】
[0037]   代替として、ＵＩＣＣが、要求された情報を含むと、ＵＥは、ネットワーク上の要求エンティティへの最終的な送信（eventual transmission）のためにその情報を読み取ることを試みるであろう。ブロック２０６（図２）において、ＵＩＣＣがパワーオフされた場合、例えばＵＩＣＣは、最初にブロック３１２においてパワーオンされなければならない。例えば、ＵＩＣＣは、ブロック２１０（図２）からすでにパワーオンされうるため、ブロック３１２内の点線で示されるように、このステップは選択的である。ＵＩＣＣがパワーオンされるとすぐに、ＵＩＣＣは、ブロック３１４においてタイマを開始することができ、それは、ＵＩＣＣがパワーオンされている期間を記録し、カウントダウンしうる。タイマ期間は、ネットワーク、ＵＥユーザ、製造業者、等、によって、予め設定されまたは構成されうる。一態様において、ＵＩＣＣへの読み取りまたは書き込み要求がタイマ期間の開始以降に生じることなく、このタイマ期間が満了すると、ＵＥは、ＵＩＣＣをパワーオフしうる。
【００３７】
[0038]   ＵＩＣＣがパワーオンされタイマが開始していると、ＵＥは、ブロック３１６において、ＵＩＣＣから要求された情報を読み取りうる。一態様では、この情報は、無線アクセスネットワークのための加入情報を含み、無線アクセスネットワークの要求ネットワークコンポーネントへ送信されうる。加えて、この情報がＵＩＣＣから読み取られていると、ＵＥはまた、ブロック３１８において、ＵＩＣＣから読み取られた情報をキャッシュに書き込むことによって、そのキャッシュをアップデートしうる。そのため、同様の情報に対するその後の要求は、ＵＩＣＣをパワーオンするようにＵＥに要求せず、パワーを節約することができる。さらなる態様において、ブロック３１４で開始されうるタイマが、ブロック３２０において満了する場合、方法３００はその後、ブロック２０２（図２）で少なくとも１つの利用可能なアクセス技術を発見することを再び試みるために図２（図２〜４内のポイントＡによって表わされる）で述べられた方法２００へ戻りうる。
【００３８】
[0039]   図４を見ると、方法２００（図２）の延長でありうる、本開示の例示的方法４００が、ＵＥのリムーバブルＵＩＣＣへ情報を書き込むために提示される。一態様において、ネットワークコンポーネントは、ネットワークとの通信を確立することまたは実行することに関連する接続パラメータまたは他の情報でＵＥおよびそれのリムーバブルＵＩＣＣをポピュレート（populate）することを試みうる。代替として、ＵＥは、リムーバブルＵＩＣＣ内に情報を格納するための命令を含むプロセッサまたはメモリをＵＥ自身に含みうる。これらの状況は、単に例示的に過ぎず、他のデバイスまたはモジュールがＵＩＣＣへ情報を書き込むことを試みることを排除しない。
【００３９】
[0040]   方法４００の一態様において、ＵＥまたはネットワークコンポーネントは、例えば、ＵＩＣＣへ情報を書き込むことを試みうる。その試みが行われるときに、ＵＩＣＣがパワーオンされていない場合、ＵＥは、ブロック４０４においてＵＩＣＣを随意にパワーオンしうる。加えて、ＵＩＣＣがパワーオンされるとすぐに、ＵＩＣＣは、ブロック４０６においてタイマを随意に開始し、それは、ＵＩＣＣがパワーオンされている期間を記録し、カウントダウンしうる。タイマ期間は、ネットワーク、ＵＥユーザ、製造者、等、によって、予め設定され、または構成されうる。一態様において、ＵＩＣＣへの読み取りまたは書き込み要求がタイマ期間の開始以降に生じることなく、このタイマ期間が満了すると、ＵＥは、ＵＩＣＣをパワーオフしうる。さらに、書き込み動作を完了するために、ＵＥは、ブロック４０８において、ＵＩＣＣへ情報を書き込みうる。加えて、ＵＩＣＣが、例えばブロック２１０（図２）において、ＵＩＣＣへパワーを維持している場合、ＵＥは、ブロック４０６においてタイマを開始することまたはＵＩＣＣをパワーオンすることをせずに、ブロック４０８において書き込み動作を実行しうる。さらなる態様において、ブロック４０６で開始されうるタイマが、ブロック４１０において満了する場合、方法４００はその後、ブロック２０２（図２）で少なくとも１つの利用可能なアクセス技術を発見することを再度試みるために図２（図２〜４内のポイントＡによって表わされる）で述べられた方法２００へ戻りうる。
【００４０】
[0041]   一態様において、ＵＥ １０２（図１）は、図５の図解によって表わされうる。ＵＥ １０２は、本明細書で説明された１つまたは複数のコンポーネントおよび機能に関連付けられる処理機能を実行するためのプロセッサ５０２を備える。プロセッサ５０２は、単一のまたは複数のプロセッサのセットまたはマルチコアプロセッサを含むことができる。さらに、プロセッサ５０２は、統合処理システムおよび／または分散形処理システムとして実現されることができる。さらに、プロセッサ５０２は、本明細書に含まれるコンポーネントおよび／またはＵＥ １０２から、およびＵＥ １０２へ情報を読み取ること、さらに書き込むことに関連付けられた命令をハウジングし（house）、実行、およびまたは処理しうる。例えば、一態様において、プロセッサ５０２は、キャッシュがＵＩＣＣに書き込まれるようにする、またはＵＩＣＣから読み取られた情報でアップデートされるようにする、命令を生成し、ＵＥ １０２内のＵＩＣＣ、キャッシュ、またはメモリへ送信しうる。さらに、プロセッサ５０２は、システム決定コンポーネントによって決定された利用可能な無線アクセスネットワークまたはネットワーク状況に基づいてＵＥをパワーオンまたはパワーオフするようにコマンドを生成し、ＵＥ上のパワー管理コンポーネントへそのコマンドを送信しうる。
【００４１】
[0042]   ＵＥ １０２は、プロセッサ５０２によって実行されるアプリケーションのローカルバージョンおよび／または本明細書で説明されたデータを格納するためなどといった、メモリ５０４をさらに含む。メモリ５０４は、ランダムアクセスメモリ（ＲＡＭ）、リードオンリーメモリ（ＲＯＭ）、テープ、磁気ディスク、光ディスク、揮発性メモリ、不揮発性メモリ、およびこれらの任意の組み合わせといった、コンピュータによって使用可能ないずれのタイプのメモリも含むことができる。
【００４２】
[0043]   さらに、ＵＥ １０２は、本明細書で説明されるようにハードウェア、ソフトウェア、およびサービスを利用して、１人または複数の関係者（party）との通信を確立し維持することを提供する通信コンポーネント５０６を備える。通信コンポーネント５０６は、通信ネットワークにわたって位置するデバイスおよび／またはＵＥ １０２に直列にまたは局所的に（serially or locally）接続されているデバイスといった、外部デバイスとＵＥ １０２との間と同様に、ＵＥ １０２上の複数のコンポーネント間の通信を運ぶ(carry)ことができる。例えば、通信コンポーネント５０６は、１つまたは複数のバスを含むことができ、外部デバイスとインターフェースするように動作可能な送信機および受信機にそれぞれ関連付けられる送信チェーンコンポーネントおよび受信チェーンコンポーネントをさらに含みうる。
【００４３】
[0044]   加えて、ＵＥ １０２は、本明細書で説明される態様と関連して用いられる情報、データベース、およびプログラムの大容量記憶を提供するデータストア５０８をさらに含み、それは、ハードウェアおよび／またはソフトウェアの任意の適切な組み合わせでありうる。例えば、データストア５０８はプロセッサ５０２によって現在実行されていないアプリケーションのためのデータレポジトリ（a data repository）でありうる。
【００４４】
[0045]   ＵＥ １０２は、ＵＥ １０２のユーザから入力を受信するように動作可能で、ユーザへ提示するための出力を生成するようにさらに動作可能なインターフェースコンポーネント５１０をさらに含みうる。ユーザインターフェースコンポーネント５１０は、１つまたは複数の入力デバイスを含むことができ、それは、キーボード、数字キーパッド、マウス、タッチセンシティブディスプレイ（touch-sensitive display）、ナビゲーションキー（navigation key）、ファンクションキー（function key）、マイクロフォン、音声認識コンポーネント、ユーザからの入力を受信することのできるその他の任意の機構、またはこれらの任意の組み合わせを含むが、それらに限定されない。さらに、ユーザインターフェースコンポーネント５１０は、１つまたは複数の出力デバイスを含むことができ、それは、ディスプレイ、スピーカ、触覚式フィードバック機構（haptic feedback mechanism）、プリンタ、ユーザに出力を提示することのできるその他の任意の機構、またはこれらの任意の組合せを含むが、それらに限定されない。
【００４５】
[0046]   さらに、ＵＥ １０２は、１つまたは複数の利用可能なワイヤレスネットワークを発見するように構成されうる、システム決定コンポーネント５１２を含みうる。加えて、システム決定コンポーネント５１２が１つまたは複数の利用可能なワイヤレスネットワークを発見すると、それはまた、どのタイプのワイヤレスアクセス技術が、発見されたネットワークへのＵＥ接続に対して要求および／または利用されるかを決定しうる。一態様において、決定されたワイヤレスアクセス技術無線アクセスネットワーク（ＲＡＮ）は、第１のアクセス技術または第２のアクセス技術を利用しうるが、これらを利用することに限定されない。一態様において、第１のアクセス技術は、ＣＤＭＡ２０００ １Ｘ（ＩＳ−２０００）、１ｘ、１ｘＲＴＴ、ＣＤＭＡ２０００、および／または、ＥＶ−ＤＯまたはＥＶとして知られる、１ｘＥＶ−ＤＯ（エボリューションデータ最適化）、などのような、しかしそれらに限定されない、ネットワーク加入情報を格納するための不揮発性メモリ（ＮＶ）を使用しうる任意のアクセス技術、または３Ｇアクセス技術ファミリの一部である任意の他のアクセス技術を含みうる。さらに、第２のアクセス技術は、移動通信のためのグローバルシステム（ＧＳＭ）、ＧＳＭエボリューションのためのエンハンスドデータレート（ＥＤＧＥ）、ユニバーサル・モバイル通信システム（ＵＴＭＳ）、高速パケットアクセス（ＨＳＰＡ）、ロングタームエボリューション（ＬＴＥ）、ＬＴＥアドバンスト、などのような、しかしそれらに限定されない、ネットワーク加入情報を格納するためのユニバーサル集積回路カード（ＵＩＣＣ）または同様のデバイスカードを使用しうる任意のアクセス技術、または４Ｇアクセス技術ファミリの一部であるそれらのアクセス技術を含む、任意の他の高速データパケットネットワークアクセス技術を含みうる。
【００４６】
[0047]   他の態様において、ＵＥ １０２は、ワイヤレスネットワークとのワイヤレス通信に関連付けられた、加入、接続、または他の情報を含みうる、ＵＩＣＣ ５１４を含みうる。いくつかの例において、ＵＩＣＣ ５１４は、取り外し可能であり、それは、取り外しが必要とされると、ＵＥ １０２から取り外されうるということを意味する。さらなる態様において、ＵＩＣＣ ５１４は、ユーザについての個人データを格納しうる。加えて、ＵＩＣＣは、ネットワーク認証の目的のために、加入者識別モジュール（ＳＩＭ）アプリケーション、ユニバーサル加入者識別モジュール（ＵＳＩＭ）、および／またはＣＤＭＡ加入者識別モジュール（ＣＳＩＭ）アプリケーションを含みうる。いくつかの態様において、ＵＩＣＣ ５１４は、リムーバブルユーザ識別モジュール（Ｒ−ＵＩＭ）を含み、またはそれ自体がＲ−ＵＩＭと称されうる。いくつかの例において、ＵＩＣＣ ５１４は、内部中央処理ユニット（ＣＰＵ）、ランダムアクセスメモリ（ＲＡＭ）、読み取り専用メモリ（ＲＯＭ）、電気的に消去可能なプログラマブル読み取り専用メモリ（ＥＥＰＲＯＭ）、他の揮発性または不揮発性メモリ、および／または入力／出力回路を含みうる。加えて、ＵＩＣＣは、移動通信のためのグローバルシステム（ＧＳＭ）、ＧＳＭエボリューションのためのエンハンスドデータレート（ＥＤＧＥ）、ユニバーサル・モバイル通信システム（ＵＴＭＳ）、高速パケットアクセス（ＨＳＰＡ）、ロングタームエボリューション（ＬＴＥ）、ＬＴＥアドバンスト、などのような、しかしそれらに限定されない、いくつかのアクセス技術および／または通信プロトコル、または４Ｇアクセス技術ファミリの一部であるそれらのアクセス技術を含む、任意の他の高速データパケットネットワークアクセス技術を利用する無線アクセスネットワークに関連した情報を含みうる。
【００４７】
[0048]   さらに、ＵＥ １０２は、オンおよびオフにＵＩＣＣ ５１４へのパワーを切り替えるためのパワー管理コンポーネント１１８を含みうる。パワー管理コンポーネント５１６は、ネットワークコンポーネントなどといった、ＵＥ １０２外部のコンポーネントおよび／またはＵＥ １０２内の任意の他のコンポーネント、もしくはプロセッサ５０２からＵＩＣＣ ５１４へのパワーをオンまたはオフに切り替えるための命令を受信しうる。加えてまたは代替として、パワー管理コンポーネントは、ネットワークアクセス状況がＵＩＣＣ ５１４に対してパワーを要求するかどうかについて、システム決定コンポーネント５１２からコマンドを受信しうる。
【００４８】
[0049]   さらに、ＵＥ １０２は、不揮発性メモリ（ＮＶ）コンポーネント５１８を含みうる。一態様において、ＮＶは、このようなネットワークに対してユーザを認証することまたはワイヤレスネットワークとの接続を確立することに関連づけられた加入、接続または任意の情報を含みうる。限定しない例として、このようなワイヤレスネットワークは、ＣＤＭＡ２０００ １Ｘ（ＩＳ−２０００）、１ｘ、１ｘＲＴＴ、ＣＤＭＡ２０００、および／または、ＥＶ−ＤＯまたはＥＶとして知られる、１ｘＥＶ−ＤＯ（エボリューションデータ最適化）、などのような、しかしそれらに限定されない、通信プロトコルもしくは規格、および／またはアクセス技術、または３Ｇアクセス技術ファミリの一部である任意の他のアクセス技術を利用しうる。
【００４９】
[0050]   さらなる態様において、ＵＥ２は、ＵＩＣＣ ５１４から最新に読み取られた情報を格納しうる、キャッシュ５２０を含みうる。キャッシュ５２０は、このような情報を格納するためのメモリを含むことができ、それは、ＲＡＭ、ＲＯＭ、ＥＥＰＲＯＭ、テープ、磁気ディスク、光ディスク、揮発性メモリ、一般的な不揮発性メモリなどといった、コンピュータによって使用可能な任意のタイプのメモリでありうる。一態様において、キャッシュ５２０は、ＮＶ５１８を含むことができ、従ってこのようなネットワークに対してユーザを認証することまたはワイヤレスネットワークとの接続を確立することに関連付けられた加入、接続または任意の情報を含みうる。この場合も同様に、限定されない例として、このようなワイヤレスネットワークは、ＣＤＭＡ２０００ １Ｘ（ＩＳ−２０００）、１ｘ、１ｘＲＴＴ、ＣＤＭＡ２０００、および／または、ＥＶ−ＤＯまたはＥＶとして知られる、１ｘＥＶ−ＤＯ（エボリューションデータ最適化）、などのような、しかしそれらに限定されない、通信プロトコルもしくは規格および／またはアクセス技術、または３Ｇアクセス技術ファミリの一部である任意の他のアクセス技術を利用しうる。加えて、キャッシュ５２０は、これまでにＵＩＣＣ ５１４から読み取られた加入情報を含みうるため、キャッシュ５２０は、移動通信のためのグローバルシステム（ＧＳＭ）、ＧＳＭエボリューションのためのエンハンスドデータレートフォー（ＥＤＧＥ）、ユニバーサル・モバイル通信システム（ＵＴＭＳ）、高速パケットアクセス（ＨＳＰＡ）、ロングタームエボリューション（ＬＴＥ）、ＬＴＥアドバンスト、などのような、しかしそれらに限定されない、いくつかのアクセス技術および／または通信プロトコル、または４Ｇアクセス技術ファミリの一部であるそれらのアクセス技術を含む、任意の他の高速データパケットネットワークアクセス技術を利用する無線アクセスネットワークに関連した情報のような、しかしそれらに限定されない、ＵＩＣＣ５１４に格納された情報を含みうる。
【００５０】
[0051]   加えて、ＵＥ １０２は、タイマを調節するためのタイマコンポーネント５５２を含むことができ、それは、ＵＩＣＣ ５１４上の読み取りまたは書き込み動作の後に、ＵＥ １０２がいつＵＩＣＣ ５１４をパワーダウンしうるかを示しうる。一態様において、このような読み取りまたは書き込み動作がＵＩＣＣ ５１４において要求されると、タイマコンポーネント５２２は、タイマを開始し、それは、事前に設定された時間からゼロへカウントダウンする、または事前に設定された時間へゼロからカウントアップしうる。タイマ期間の間に、書き込みまたは読み取り動作が、ＵＩＣＣ ５１４において要求されないと、タイマコンポーネントは、パワー管理コンポーネント１１８、プロセッサ５０２、ＵＩＣＣ ５１４、または別のコンポーネントに、時間が満了したこと、およびＵＩＣＣ ５１４は、パワーオフされるべきであることを示しうる。
【００５１】
[0052]   図６を見ると、利用可能な無線アクセスネットワークアクセス技術に基づいてＵＩＣＣを選択的にパワーオンおよびパワーオフするための例示的なシステム６００が示される。例えば、システム６００はデバイス内に少なくとも部分的に存在することができる。システム６００は、プロセッサ、ソフトウェア、またはそれらの組み合わせ（例えば、ファームウェア）によって実現される機能を示す機能ブロックであることができる機能ブロックを含むように示されるということが認識されるべきである。システム６００は、共同して動作することができる電気コンポーネントの論理グループ６０２を含む。例えば、論理グループ602は、少なくとも１つの利用可能なアクセスネットワーク604を発見するための電気コンポーネントを含むことができる。一態様において、電気コンポーネント６０４は、ワイヤレスネットワークが利用可能であるかを決定し、利用可能なワイヤレスネットワークが、どのアクセス技術を利用するかを決定しうる。さらなる態様において、電気コンポーネント６０４は、上述されたシステム決定コンポーネント５１２（図５）でありうる。
【００５２】
[0053]   別の態様において、論理グループ６０２は、リムーバブルＵＩＣＣへのパワーをオンおよびオフに切り替えるための電気コンポーネント６０６を含みうる。電気コンポーネント６０６は、プロセッサなどといった、外部のコンポーネントからのコマンドを実行し、または電気コンポーネント６０４からの出力に依存して、ＵＩＣＣをパワーオンまたはオフするかどうか決定しうる。さらなる態様において、電気コンポーネント６０６は、上述されたパワー管理コンポーネント５１６（図５）でありうる。さらに、論理グループ６０２は、ＵＥ上の不揮発性メモリもしくはリムーバブルＵＩＣＣへの読み取りおよび／または書き込みをするための電気コンポーネント６０８を含みうる。例えば、電気コンポーネント６０８は、ＵＩＣＣがパワーオンされると、ＵＩＣＣからパラメータ情報または接続情報を取り出し、または書き込むことができ、一方ＵＩＣＣがパワーオフされると、不揮発性メモリからまたは不揮発性メモリへ、パラメータ情報もしくは接続情報を取り出し、もしくは書き込むことができる。一態様において、電気コンポーネント６０８は、プロセッサ５０２（図５）、ネットワーク側コンポーネント、またはメモリへデータを書き込みまたは読み取り可能な任意の他のコンポーネントでありうる。
【００５３】
[0054]   加えて、論理グループ６００は、タイマを管理するための電気コンポーネント６１０を含みうる。本開示の一態様において、電気コンポーネントは、ＵＩＣＣ上で読み取りまたは書き込み動作が実行されると、タイマを開始しうる。加えて、電気コンポーネント６１０は、設定された期間をカウントアップまたはカウントダウンすることができ、この期間の間に、ＵＩＣＣ上で追加の読み取りまたは書き込み動作が実行されないと、リムーバブルＵＩＣＣがパワーオフされるべきであるということを示しうる。さらなる態様において、電気コンポーネント６１０は、タイマコンポーネント５２２（図５）でありうる。
【００５４】
[0055]   加えて、システム６００は、電気コンポーネント６０４、６０６、６０８、および６１０に関連した機能を実行するための命令を保持し、電気コンポーネント６０４、６０６、６０８、および６１０によって得られるまたは使用されるデータを格納する、等といった、メモリ６１２を含みうる。メモリ６１２の外部にあるように示される一方、１つまたは複数の電気コンポーネント６０４、６０６、６０８、および６１０がメモリ６１２内に存在することができるということが、理解されるべきである。一例において、電気コンポーネント６０４、６０６、６０８、および６１０は、少なくとも１つのプロセッサを備えることができ、または各電気コンポーネント６０４、６０６、６０８、および６１０は少なくとも１つのプロセッサの対応するモジュールであることができる。さらに、追加、または代替の例において、電気コンポーネント６０４、６０６、６０８、および６１０は、各電気コンポーネント６０４、６０６、６０８、および６１０が対応するコードであることができる、コンピュータ可読媒体を含むコンピュータプログラム製品であることができる。
【００５５】
[0056]   本明細書で説明される実施形態に関連して説明されている様々な例示的な論理、論理ブロック、モジュール、および回路は、汎用プロセッサ、デジタル信号プロセッサ（ＤＳＰ）、特定用途向け集積回路（ＡＳＩＣ）、フィールド・プログラマブル・ゲートアレイ（ＦＰＧＡ）または他のプログラマブル・ロジック・デバイス、離散ゲートまたはトランジスタ・ロジック、離散ハードウェアコンポーネント、または本明細書に説明されている機能を実行するために設計された、それらの任意の組合せで実現または実行されうる。汎用プロセッサは、マイクロプロセッサでありうるが、代替において、プロセッサは、任意の従来のプロセッサ、コントローラ、マイクロコントローラ、またはステートマシンでありうる。プロセッサはまた、コンピューティングデバイスの組み合わせとして、例えば、ＤＳＰとマイクロプロセッサの組み合わせ、複数のマイクロプロセッサ、ＤＳＰコアと連動した１つまたは複数のマイクロプロセッサ、または、任意の他のこのような構成として実現されうる。加えて、少なくとも1つのプロセッサは、上述されているステップおよび／または動作のうちの１つまたは複数を実行するように動作可能な１つまたは複数のモジュールを備えうる。
【００５６】
[0057]   さらに、本明細書で開示された態様に関連して説明されている方法またはアルゴリズムのステップおよび／または動作は、ハードウェアで、プロセッサによって実行されるソフトウェアモジュールで、またはその２つの組み合わせで直接具体化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野において周知の他任意の形態の記憶媒体内に存在しうる。例示的な記憶媒体は、プロセッサが記憶媒体から情報を読み取り、記憶媒体に情報を書き込むことができるようにそのプロセッサに結合されうる。代替において、記憶媒体はプロセッサに一体化されうる。さらに、いくつかの態様では、プロセッサおよび記憶媒体は、ＡＳＩＣ中に存在しうる。加えて、ＡＳＩＣは、ユーザ端末中に存在しうる。代替において、プロセッサと記憶媒体が、ユーザ端末において離散コンポーネントとして存在しうる。加えて、いくつかの態様では、方法またはアルゴリズムのステップおよび／または動作は、コンピュータプログラム製品に組み込まれうる、機械可読媒体および／またはコンピュータ可読媒体上で、コードおよび／または命令の１つまたは任意の組み合わせ、もしくは、セットとして存在しうる。
【００５７】
[0058]   １つまたは複数の態様において、説明される機能は、ハードウェア、ソフトウェア、ファームウェア、またはそれらの任意の組み合わせで実現されうる。ソフトウェアで実現されると、その機能は、１つまたは複数の命令またはコードとして、コンピュータ可読媒体に格納、または送信されうる。コンピュータ可読媒体は、ある場所から別の場所へのコンピュータプログラムの転送を促進する任意の媒体を含む通信媒体とコンピュータ記憶媒体との両方を含む。記憶媒体は、コンピュータによってアクセスできる任意の利用可能な媒体でありうる。限定ではなく例として、そのようなコンピュータ読み取り可能媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、または、命令あるいはデータ構造の形態で望ましいプログラムコードを搬送もしくは格納するために使用されることができ、コンピュータによってアクセスされることができる任意の他の媒体を備えうる。また、あらゆる接続は、コンピュータ可読媒体と称されうる。例えば、ソフトウェアがウェブサイト、サーバ、または、同軸ケーブル、光ファイバーケーブル、ツイストペア、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体の定義に含まれている。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーで光学的にデータを再生する。上記の組み合わせは、また、コンピュータ可読媒体の範囲内に含まれるべきである。
【００５８】
[0059]   前述の開示では、例示的な態様および／または実施形態を論じたが、添付された特許請求の範囲によって規定されるような説明された態様および／または実施形態の範囲から逸脱することなく、本明細書でさまざまな変更および修正を行うことができることに留意すべきである。さらに、説明されている態様および／または実施形態の要素は、単数形で説明または請求されうるが、単数形に対する限定が明確に述べられていない限り、複数形が意図される。加えて、任意の態様および／または実施形態のすべてまたは一部は、特に明記がない限り、他の任意の態様および／または実施形態のすべてまたは一部とともに利用されうる。
なお、本願の出願当初の請求項と同一の記載を以下に付記する。
［Ｃ１］  ユーザ機器（ＵＥ）（１０２）においてパワーを節約するための方法であって、
少なくとも１つのアクセス技術タイプを有する少なくとも１つの利用可能なアクセス技術無線アクセスネットワーク（ＲＡＮ）を発見すること（２０２）と、
第１の技術タイプＲＡＮが利用可能な唯一のアクセス技術ＲＡＮである場合、第１の技術タイプとは異なる第２の技術タイプのための加入情報を有するリムーバブル・ユニバーサル集積回路カード（ＵＩＣＣ）（５１４）へのパワーをオフに切り替えること（２０６）と、
第１の技術タイプＲＡＮが、利用可能な唯一のアクセス技術ＲＡＮである場合、前記ＵＥ（１０２）上の不揮発性メモリ（ＮＶ）（５１８）内の第１の技術タイプＲＡＮユーザ加入情報へのアクセスを確立すること（２０８）とを備える方法。
［Ｃ２］  前記ＵＥ（１０２）から情報を読み取ることを試みること（３０２）と、
前記ＵＥ（１０２）が読み取ることを試みる前記情報を、前記ＵＩＣＣ（５１４）は含むが、キャッシュ（５２０）は含まない場合、前記ＵＩＣＣ（５１４）をパワーオンすること（３１２）と、
前記ＵＩＣＣ（５１４）から前記情報を読み取ること（３１６）と、
前記ＵＩＣＣ（５１４）から読み取られた前記情報で前記キャッシュ（５２０）をアップデートすること（３１８）とをさらに備える、Ｃ１に記載の方法。
［Ｃ３］  前記ＵＥ（１０２）によって前記ＵＩＣＣ（５１４）へ情報を書き込むことを試みること（４０２）と、
前記ＵＩＣＣ（５１４）をパワーオンすること（４０４）と、
前記ＵＩＣＣ（５１４）へ前記情報を書き込むこと（４０８）とをさらに備える、Ｃ1に記載の方法。
［Ｃ４］  前記ＵＩＣＣ（５１４）がパワーオンされたままの間にタイマ期間を測定するために、前記ＵＩＣＣをパワーオンすると、タイマを開始すること（３１４）をさらに備える、Ｃ２に記載の方法。
［Ｃ５］  前記ＵＩＣＣ（５１４）がパワーオンされたままの間にタイマ期間を測定するために、前記ＵＩＣＣ（５１４）をパワーオンすると、タイマを開始すること（４０６）をさらに備える、Ｃ３に記載の方法。
［Ｃ６］  前記タイマ期間の満了の際（３２０）に少なくとも１つの利用可能なアクセス技術ＲＡＮを発見すること（２０２）と、
前記タイマ期間が満了した（３２０）後に、前記第１の技術タイプＲＡＮが、利用可能な唯一のアクセス技術である場合、前記ＵＩＣＣ（５１４）をパワーオフすること（２０６）とをさらに備えるＣ４に記載の方法。
［Ｃ７］  前記タイマ期間の満了の際（４１０）に少なくとも１つの利用可能なアクセス技術ＲＡＮを発見すること（２０２）と、
前記タイマ期間が満了した（４１０）後に、前記第１の技術タイプＲＡＮが、利用可能な前記唯一のアクセス技術である場合、前記ＵＩＣＣをパワーオフすること（２０６）とをさらに備える、Ｃ５に記載の方法。
［Ｃ８］  ユーザ機器（ＵＥ）において、パワーを節約するための装置であって、
少なくとも１つのアクセス技術タイプを有する少なくとも１つの利用可能なアクセス技術無線アクセスネットワーク（ＲＡＮ）を発見するための手段（５１２）と、
第１の技術タイプＲＡＮが、利用可能な前記唯一のアクセス技術ＲＡＮである場合、第１の技術タイプとは異なる第２の技術タイプのための加入情報を有するリムーバブル・ユニバーサル集積回路カード（ＵＩＣＣ）（５１４）へのパワーをオフに切り替えるための手段（１１８）と、
第１の技術タイプＲＡＮが、利用可能な前記唯一のアクセス技術ＲＡＮである場合、前記ＵＥ（１０２）上の不揮発性メモリ（ＮＶ）（５１８）内の第１の技術タイプＲＡＮユーザ加入情報へのアクセスを確立するための手段（５０２）とを備える装置。
［Ｃ９］  前記ＵＥから情報を読み取ることを試みるための手段（５０２）と、
前記ＵＥ（１０２）が読み取ることを試みる前記情報を、前記ＵＩＣＣ（５１４）は含むが、キャッシュ（５２０）は含まない場合、前記ＵＩＣＣ（５１４）をパワーオンするための手段（１１８）と、
前記ＵＩＣＣ（５１４）から前記情報を読み取る（５０２）ための手段と、
前記ＵＩＣＣ（５１４）から読み取られた前記情報で前記キャッシュ（５２０）をアップデートするための手段（５０２）とをさらに備える、Ｃ８に記載の装置。
［Ｃ１０］  前記ＵＥ（１０２）によって、前記ＵＩＣＣ（５１４）へ情報を書き込むことを試みるための手段（５０２）と、
前記ＵＩＣＣ（５１４）をパワーオンするための手段（１１８）と、
前記ＵＩＣＣ（５１４）へ前記情報を書き込むための手段（５０２）とをさらに備えるＣ８に記載の装置。
［Ｃ１１］  前記ＵＩＣＣ（５１４）がパワーオンされたままの間にタイマ期間を測定するために、前記ＵＩＣＣ（５１４）をパワーオンするとタイマを開始するための手段（５２２）をさらに備える、Ｃ９に記載の装置。
［Ｃ１２］  前記ＵＩＣＣ（５１４）がパワーオンされたままの間にタイマ期間を測定するために、前記ＵＩＣＣ（５１４）をパワーオンするとタイマを開始するための手段（５２２）をさらに備える、Ｃ１０に記載の装置。
［Ｃ１３］  前記タイマ期間の満了の際に少なくとも１つの利用可能なアクセス技術ＲＡＮを発見するための手段（５１２）と、
前記タイマ期間が満了した後に、前記第１の技術タイプＲＡＮが、利用可能な前記唯一のアクセス技術である場合、前記ＵＩＣＣ（５１４）をパワーオフするための手段（１１８）とをさらに備える、Ｃ１１に記載の装置。
［Ｃ１４］  前記タイマ期間の満了の際に、少なくとも１つの利用可能なアクセス技術ＲＡＮを発見するための手段（５１２）と、
前記タイマ期間が満了した後に、前記第１の技術タイプＲＡＮが、利用可能な前記唯一のアクセス技術である場合、前記ＵＩＣＣ（５１４）をパワーオフするための手段（１１８）とをさらに備える、Ｃ１２に記載の装置。
［Ｃ１５］  ユーザ機器（ＵＥ）（５１４）においてパワーを節約するための装置であって、
少なくとも１つのアクセス技術タイプを有する少なくとも１つの利用可能なアクセス技術無線アクセスネットワーク（ＲＡＮ）を発見するためのシステム決定コンポーネント（５１２）と、
第１の技術タイプＲＡＮが、利用可能な唯一のアクセス技術ＲＡＮである場合、第１の技術タイプとは異なる第２の技術タイプのための加入情報を有するリムーバブル・ユニバーサル集積回路カード（ＵＩＣＣ）へのパワーをオフに切り替えるためのパワー管理コンポーネント（１１８）と、
第１の技術タイプＲＡＮが利用可能な前記唯一のアクセス技術ＲＡＮである場合、第１の技術タイプＲＡＮユーザ加入情報へのアクセスを確立するための不揮発性メモリ（５１８）とを備える、装置。
【図１】
0005727098.tif 000002
【図２】
0005727098.tif 000003
【図３】
0005727098.tif 000004
【図４】
0005727098.tif 000005
【図５】
0005727098.tif 000006
【図６】
0005727098.tif 000007